(57)【要約】【課題】種々の形態の突出部を支持することが可能な突出部の支持構造を提供することを目的とする。【解決手段】上下に並設された建物ユニット２，３のうち、下方の建物ユニット３の上梁３ａの側面に、突出部２０（３０）を支持するための複数のステー１０を、上梁３ａの長さ方向に間隔をあけて、かつ前方に突出するようにして取り付け、これら複数のステー１０の上面に、突出部２０（３０）を載置固定する。これにより、例えば突出部がどのような種類のものであっても、単に複数のステー上面に載置固定するだけで、建物本体の側面に突出部を設けることができる。【選択図】図１
2012177265.tif 000002
【特許請求の範囲】
【請求項１】
建物本体の側面に設けられるとともに前方に突出する突出部を支持してなる突出部の支持構造において、
前記建物本体は、上梁および下梁、柱から骨組みが形成された略直方体状の建物ユニットを前後左右ならびに上下方向に並設することによって形成されており、
上下に並設された建物ユニットのうち、下方の建物ユニットの上梁の側面に、前記突出部を支持するための複数のステーが、前記上梁の長さ方向に間隔をあけて、かつ前方に突出するようにして取り付けられており、
これら複数のステーの上面に、前記突出部が載置固定されていることを特徴とする突出部の支持構造。
【請求項２】
請求項１に記載の突出部の支持構造において、
前記ステーは、前方に突出するステー本体と、このステー本体の建物本体側に一体的に設けられるとともに、前記下方の建物ユニットの上梁の側面に接合されるフランジ部とを備えており、
前記下方の建物ユニットの上梁側面には、前記フランジ部が当接されて接合される接合プレートが取り付けられており、
前記フランジ部には、このフランジ部を厚さ方向に貫通するボルト孔が複数形成されており、前記接合プレートには、前記フランジ部に形成された複数のボルト孔に対応する複数のボルト穴が形成されており、
前記ステーは、前記フランジ部と接合プレートとをボルト接合することによって前記下方の建物ユニットの上梁側面に取り付けられていることを特徴とする突出部の支持構造。
【請求項３】
請求項１または２に記載の突出部の支持構造において、
前記ステーは、このステーの上面に複数設けられるとともに、上方に突出するガイドピンを備えており、
前記突出部の下面には、前記ガイドピンが挿入されるピン挿入孔が複数形成されていることを特徴とする突出部の支持構造。
【請求項４】
請求項１〜３のいずれか一項に記載の突出部の支持構造において、
前記ステーは、このステーの下面に複数設けられるとともに、前記突出部の下面を化粧するための軒天材を受ける軒天受け部を備えていることを特徴とする突出部の支持構造。
【請求項５】
請求項１〜４のいずれか一項に記載の突出部の支持構造において、
前記突出部は、予め組み立てられた状態で、前記複数のステーの上面に載置固定されていることを特徴とする突出部の支持構造。
【発明の詳細な説明】
【技術分野】
【０００１】
本発明は、住宅等の建物の側面に取り付けられるバルコニーや庇等の突出部の支持構造に関する。
【背景技術】
【０００２】
従来、予め工場で製造された複数の建物ユニットを建築現場で相互に接合するユニット式建物が利用されている。このようなユニット式建物によれば、建物の内外装等の殆ど全ての作業が工場で行われるため、建築現場での作業が軽減され、短期間で建物を完成することができる。ユニット式建物の側面には、バルコニーや庇、フラワーボックス、シャッターボックス等の種々の形態の突出部が取り付けられる。
【先行技術文献】
【特許文献】
【０００３】
【特許文献１】特開平１１−３３６１８０号公報
【特許文献２】特開平０７−０６２８２１号公報
【特許文献３】特開２０００−２５７３５３号公報
【発明の概要】
【発明が解決しようとする課題】
【０００４】
ところで、バルコニーや庇等の突出部を支持する構造として、上記特許文献に記載のように、様々な技術が採用されており、それぞれの突出部を確実に支持できるように構成されている。ところが、突出部ごとに支持構造が異なるため、その分、多くの種類の部材を用意しなければならないし、それぞれ施工方法も異なるものになる。このため、各突出部の支持構造を共用化したいという要望がある。
【０００５】
本発明の課題は、種々の形態の突出部を支持することが可能な突出部の支持構造を提供することを目的とする。
【課題を解決するための手段】
【０００６】
請求項１に記載の発明は、例えば図１〜図３に示すように、建物本体１の側面に設けられるとともに前方に突出する突出部２０（３０）を支持してなる突出部２０（３０）の支持構造において、
前記建物本体１は、上梁（例えば上梁３ａ）および下梁（例えば下梁２ａ）、柱から骨組みが形成された略直方体状の建物ユニット（例えば上方の建物ユニット２，下方の建物ユニット３）を前後左右ならびに上下方向に並設することによって形成されており、
上下に並設された建物ユニット２，３のうち、下方の建物ユニット３の上梁３ａの側面に、前記突出部２０（３０）を支持するための複数のステー１０が、前記上梁３ａの長さ方向に間隔をあけて、かつ前方に突出するようにして取り付けられており、
これら複数のステー１０の上面に、前記突出部２０（３０）が載置固定されていることを特徴とする。
【０００７】
請求項１に記載の発明によれば、前記下方の建物ユニット３の上梁３ａの側面に形成された複数のステー１０の上面に、前記突出部２０（３０）を載置固定することで、この突出部２０（３０）を建物本体１の側面に設けることができるので、例えば前記突出部２０（３０）がどのような種類のものであっても、単に複数のステー１０上面に載置固定するだけで、建物本体１の側面に突出部２０（３０）を設けることができる。これによって、突出部２０（３０）を支持する構造を、突出部２０（３０）の種類に構わず共用化することができるので、種々の形態の突出部２０（３０）を確実に支持することが可能となる。
また、前記ステー１０は、前記下方の建物ユニット３の上梁３ａ側面に取り付けられているので、前記ステー１０を、前記上方の建物ユニット２の下梁２ａ側面に取り付ける場合に比して、前記突出部２０（３０）を低い高さに配置することができる。これによって、例えば、突出部をバルコニー２０とする場合には、床面の高さを調整する余地を残しておくことができる。また、突出部をフラワーボックスとする場合には、フラワーボックスの収納部分の深さを調整する余地を残しておくことができる。したがって、利便性に優れる。
【０００８】
請求項２に記載の発明は、例えば図１〜図３に示すように、請求項１に記載の突出部２０（３０）の支持構造において、
前記ステー１０は、前方に突出するステー本体１１と、このステー本体１１の建物本体１側に一体的に設けられるとともに、前記下方の建物ユニット３の上梁３ａの側面に接合されるフランジ部１２とを備えており、
前記下方の建物ユニット３の上梁３ａ側面には、前記フランジ部１２が当接されて接合される接合プレート４が取り付けられており、
前記フランジ部１２には、このフランジ部１２を厚さ方向に貫通するボルト孔１２ａが複数形成されており、前記接合プレート４には、前記フランジ部１２に形成された複数のボルト孔１２ａに対応する複数のボルト穴４ａが形成されており、
前記ステー１０は、前記フランジ部１２と接合プレート４とをボルト５接合することによって前記下方の建物ユニット３の上梁３ａ側面に取り付けられていることを特徴とする。
【０００９】
請求項２に記載の発明によれば、前記複数のボルト孔１２ａが形成されたフランジ部１２を、前記複数のボルト穴４ａが形成された接合プレート４に当接させてボルト５によって接合できるので、前記複数のステー１０を、前記下方の建物ユニット３の上梁３ａ側面に確実かつ強固に固定することができる。これによって、前記複数のステー１０の上面に載置固定される突出部２０（３０）を確実に支持することができる。
【００１０】
請求項３に記載の発明は、例えば図１〜図３に示すように、請求項１または２に記載の突出部２０（３０）の支持構造において、
前記ステー１０は、このステー１０の上面に複数設けられるとともに、上方に突出するガイドピン１３，１３を備えており、
前記突出部２０（３０）の下面には、前記ガイドピン１３，１３が挿入されるピン挿入孔が複数形成されていることを特徴とする。
【００１１】
請求項３に記載の発明によれば、前記突出部２０（３０）を、前記複数のステー１０上面に、前記ステー１０の上面に設けられた複数のガイドピン１３，１３を、前記ピン挿通孔に挿入するようにして載置することができるので、前記突出部２０（３０）を案内しながら正確に載置することができる。すなわち、前記ステー１０は、前記突出部２０（３０）を支持する機能だけでなく、突出部２０（３０）を正確に載置させるための機能を備えているので、機能性に優れる。
【００１２】
請求項４に記載の発明は、例えば図１〜図３に示すように、請求項１〜３のいずれか一項に記載の突出部２０（３０）の支持構造において、
前記ステー１０は、このステー１０の下面に複数設けられるとともに、前記突出部２０（３０）の下面を化粧するための軒天材２０ａ（３０ａ）を受ける軒天受け部１４を備えていることを特徴とする。
【００１３】
請求項４に記載の発明によれば、前記ステー１０の下面に設けられた軒天受け部１４によって、該ステー１０の下面に前記軒天材２０ａ（３０ａ）を確実に取り付けることができるので、前記突出部２０（３０）の下面を確実に化粧できる。すなわち、前記ステー１０は、前記突出部２０（３０）を支持する機能だけでなく、軒天材２０ａ（３０ａ）をステー１０の下面に確実に取り付ける機能を備えているので、機能性に優れる。
【００１４】
請求項５に記載の発明は、例えば図１〜図３に示すように、請求項１〜４のいずれか一項に記載の突出部２０（３０）の支持構造において、
前記突出部２０（３０）は、予め組み立てられた状態で、前記複数のステー１０の上面に載置固定されていることを特徴とする。
【００１５】
請求項５に記載の発明によれば、予め組み立てられた状態の突出部２０（３０）を、前記複数のステー１０の上面に載置固定できるので、突出部２０（３０）の設置作業を容易かつ短期間に行うことができる。すなわち、例えば工場等で突出部２０（３０）を予め組み立てておき、現場に輸送されてきた突出部２０（３０）を、前記複数のステー１０の上面に載置固定すれば、現場での作業工程を大幅に省略することができる。
【発明の効果】
【００１６】
本発明によれば、上下に並設された建物ユニットのうち、下方の建物ユニットの上梁の側面に形成された複数のステーの上面に、突出部を載置固定することで、この突出部を建物本体の側面に設けることができるので、例えば突出部がどのような種類のものであっても、単に複数のステー上面に載置固定するだけで、建物本体の側面に突出部を設けることができる。これによって、突出部を支持する構造を、突出部の種類に構わず共用化することができるので、種々の形態の突出部を確実に支持することが可能となる。
また、ステーは、下方の建物ユニットの上梁側面に取り付けられているので、ステーを、上方の建物ユニットの下梁側面に取り付ける場合に比して、突出部を低い高さに配置することができる。これによって、例えば、突出部をバルコニーとする場合には、床面の高さを調整する余地を残しておくことができる。また、突出部をフラワーボックスとする場合には、フラワーボックスの収納部分の深さを調整する余地を残しておくことができる。したがって、利便性に優れる。
【図面の簡単な説明】
【００１７】
【図１】本発明に係る突出部の支持構造の一例を示す側断面図である。
【図２】本発明に係る突出部の支持構造の他の一例を示す側断面図である。
【図３】図１および図２における共用化部分を示す側断面図であり、（ａ）は図１に対応し、（ｂ）は図２に対応している。
【発明を実施するための形態】
【００１８】
以下、図面を参照して本発明の実施の形態について説明する。
図１および図２は本発明に係る突出部の支持構造の一例を示す側断面図である。
図１および図２において符号１は、建物本体を示す。
この建物本体１は、上梁および下梁、柱から骨組みが形成された略直方体状の建物ユニット（例えば上方の建物ユニット２，下方の建物ユニット３）を前後左右ならびに上下方向に並設することによって形成されている。
【００１９】
図示はしないが、前記建物ユニットは、より詳細には、４本の柱と、これらの柱の上端間同士を結合する４本の上梁（天井梁）と、柱の下端間同士を結合する４本の下梁（床梁）とを備えている。
【００２０】
前記４本の上梁は、２本の長辺上梁および長辺上梁より短い２本の短辺上梁によって構成されている。
同じく、４本の下梁は、２本の長辺下梁および長辺下梁より短い２本の短辺下梁によって構成されている。
なお、柱は正方形筒状に形成されており、上梁と下梁は、それぞれ断面コ字型に形成されている。
【００２１】
前記２本の長辺上梁には、複数の小梁が架設されており、該小梁は長辺上梁の長手方向に所定間隔で設けられている。これら小梁の下面には天井板が固定される。
また、前記２本の長辺下梁には、複数の根太が架設されており、該根太は長辺下梁の長手方向に所定間隔で設けられている。これら根太の上面には床板が固定される。
なお、柱の上端部と上梁の端部とは柱頭接合部材によって接合され、柱の下端部と下梁の端部とは柱脚接合部材によって接合されている。
【００２２】
以上のような建物ユニットを前後左右ならびに上下方向に複数並設することによって形成された建物本体１の側面に、この建物本体１の側面から前方、すなわち屋外側に突出する突出部２０（３０）が設けられている。
より詳細には、図１および図２に示すように、上下に並設された建物ユニット２，３のうち、下方の建物ユニット３の上梁３ａの側面に、前記突出部２０（３０）を支持するための複数のステー１０が、前記上梁３ａの長さ方向に間隔をあけて、かつ前方に突出するようにして取り付けられており、これら複数のステー１０の上面に、前記突出部２０（３０）が載置固定されている。
【００２３】
ここで、前記上下に並設された建物ユニット２，３は、下方の建物ユニット３の上梁３ａの上面に、上方の建物ユニット２の下梁２ａを載置固定することによって並設配置されている。前記上方の建物ユニット２は、建物の上階に位置し、前記下方の建物ユニット３は、建物の下階に位置する。
【００２４】
また、前記建物ユニット２，３の外周側には、外壁材２ｂ，３ｂがそれぞれ取り付けられている。図１に示す例では、上方の建物ユニット２の外壁材２ｂに開口部が形成された状態となっており、この開口部に窓サッシ２ｃが取り付けられている。
【００２５】
前記突出部２０（３０）の奥行き方向と直交する幅方向の寸法（幅寸法）は、適宜変更可能であり、幅寸法が長尺な突出部を建物本体１の側面に設ける際は、前記上梁３ａを備える下方の建物ユニット３を前後または左右に複数並設して、突出部の長尺な幅寸法に対応させる。
また、上梁３ａに取り付けられるステー１０の数も、突出部２０（３０）の幅寸法に応じて増減させるものとする。ステー１０の数は、少なくとも２本が前記上梁３ａに取り付けられている。
なお、前記突出部２０（３０）の奥行き方向とは、例えば図１を参照すると、突出部２０の手摺壁２６から建物本体１に向かう方向を指している。
【００２６】
前記ステー１０は、図１〜図３に示すように、ステー本体１１と、フランジ部１２と、ガイドピン１３と、軒天受け部１４とを備えている。
【００２７】
前記ステー本体１１は、前方すなわち建物本体１側から屋外側に向かって突出する水平材であり、いわゆる腕木としての役割を持つ。
なお、このステー本体１１は、図示はしないが、断面略コ字型に形成されており、上面板と、下面板と、側面板とを有する。
なお、このステー本体１１は、突出部の種類によって高さ寸法や幅寸法、長さ寸法を変更しても良い。すなわち、単にサイズ変更するだけ種々の突出部に対応できるので、難しい設計変更等の必要が無く、突出部の支持構造の共用化に寄与できる。
【００２８】
前記フランジ部１２は、前記下方の建物ユニット３の上梁３ａの側面に接合される板状体であり、前記ステー本体１１の建物本体１側の端部に、例えば溶接等によって接合されることにより一体的に設けられている。
また、このフランジ部１２の屋外側面の縦方向および横方向の長さは、前記ステー本体１１の高さ寸法および幅寸法と略等しいか、ステー本体１１の高さ寸法および幅寸法よりも広くなるように設定されている。したがって、突出部の種類によって使用されるステー本体１１の高さ寸法や幅寸法に違いがあっても、フランジ部１２の大きさは統一されており、突出部の種類に構わず共用できる。
また、フランジ部１２には、このフランジ部１２を厚さ方向に貫通するボルト孔１２ａが複数形成されている。これら複数のボルト孔１２ａは、前記ステー本体１１の上面板と下面板と側面板とで囲まれる位置に設けられている。
【００２９】
前記ガイドピン１３は、前記ステー本体１１の上面に、上方に突出するようにして複数設けられている。
なお、突出部の種類によって使用されるステー本体１１の高さ寸法や幅寸法に違いがあっても、単に必要な部位に、必要な数のガイドピン１３を設ければよいので、ガイドピン１３は統一されており、突出部の種類に構わず共用できる。
【００３０】
前記軒天受け部１４は、前記突出部２０（３０）の下面を化粧するための軒天材２０ａ（３０ａ）を受けるものであり、前記ステー本体１１の下面に複数設けられている。
この軒天受け部１４は、前記ステー本体１１の下面に固定される固定板部と、この固定他部の端部から垂設される２枚の野縁固定板部とからなる野縁固定金物１４ａと、この野縁固定金物１４ａに取り付けられる野縁部材１４ｂとを有する。
なお、軒天材２０ａ（３０ａ）は、野縁固定金物１４ａを介してステー１０の下面に設けられた野縁部材１４ｂに取り付けられている。
なお、突出部の種類によって使用されるステー本体１１の高さ寸法や幅寸法に違いがあっても、単に必要な部位に、必要な数の軒天受け部１４を設ければよいので、軒天受け部１４は統一されており、突出部の種類に構わず共用できる。
【００３１】
なお、前記２枚の野縁固定板部は、野縁部材を、突出部２０（３０）の奥行き方向と、幅方向に沿って配置できるような向きで、前記固定板部の端部に設けられている。
本実施の形態の野縁部材１４ｂは、図１および図２に示すように、突出部２０（３０）の幅方向に沿って配置されているが、突出部２０（３０）の奥行き方向に沿って配置しても良いものとする。
【００３２】
また、前記下方の建物ユニット３の上梁３ａ側面には、図１〜図３に示すように、前記フランジ部１２が当接されて接合される接合プレート４が取り付けられている。なお、この接合プレート４は、前記上梁３ａに対して、例えば溶接したり、ボルト留めしたり、または溶接とボルト留めを併用したりすることによって確実かつ強固に取り付けられているものとする。
なお、前記接合プレート４は、前記ステー１０が取り付けられる部分に対応して上梁３ａの長さ方向に間隔をあけて複数設けられている。また、これに限られず、例えば、接合プレート４を前記上梁３ａの長さ方向に沿って長尺な部材として、該上梁３ａに沿って設けられるようにしても良いものとする。
【００３３】
この接合プレート４には、前記フランジ部１２に形成された複数のボルト孔１２ａに対応する複数のボルト穴４ａが形成されている。なお、これら複数のボルト穴４ａは、前記接合プレート４を貫通しない深さに設定されている。
【００３４】
そして、前記ステー１０は、図１〜図３に示すように、前記フランジ部１２と接合プレート４とをボルト５接合することによって前記下方の建物ユニット３の上梁３ａ側面に取り付けられている。
なお、本実施の形態のボルト５は、いわゆるハイテンションボルトが用いられている。このハイテンションボルトは、高張力の鋼で作られた強度の高いボルトであり、フランジ部１２と接合プレート４との接合状態を向上させることができる。
【００３５】
本実施の形態において、前記突出部は、図１および図２に示すようにバルコニー２０や庇３０が採用されている。この他にも、例えばフラワーボックスやシャッターボックス、外廊下、出窓等としても良いものとする。
また、これらバルコニー２０や庇３０を始めとする突出部は、予め組み立てられた状態で、前記複数のステー１０の上面に載置固定されることが望ましい。
【００３６】
バルコニー２０は、図１に示すように、床梁２１，２２と、勾配床部２３と、立ち上がり壁２４，２５と、手摺壁２６とを備えている。このバルコニー２０は、予め工場等で組み立てられているものとする。
【００３７】
前記床梁２１は、建物本体１側に配置されるとともに、前記ステー１０の上面に載置固定されている。また、前記床梁２２は、屋外側に配置されるとともに、前記ステー１０の先端部上面に載置固定されている。これら床梁２１，２２は、断面略コ字型であり、バルコニー２０の幅方向に沿って長尺に形成されており、複数のステー１０間に架設されている。
これら床梁２１，２２の下面には、それぞれ、前記ステー１０の上面に設けられたガイドピン１３が挿入されるピン挿入孔（図示せず）が複数形成されている。したがって、前記バルコニー２０を、前記複数のステー１０上面に、前記ステー１０の上面に設けられた複数のガイドピン１３，１３を、前記ピン挿通孔に挿入するようにして載置できるようになっている。
これら床梁２１，２２とステー１０とは、ボルト１３ａおよびナット１３ｂによって確実かつ強固に接合されている。すなわち、これら床梁２１，２２の下面板と、前記ステー本体１１の上面板には、これら床梁２１，２２の下面板とステー本体１１の上面板とを貫通するボルト孔がそれぞれ形成されており、該ボルト孔にボルト１３ａが挿入され、このボルト１３ａにナット１３ｂが螺合されている。
【００３８】
前記勾配床部２３は、前記床梁２１，２２間に架設されており、床面が、建物本体１側から屋外側に向かって傾斜している。
また、この勾配床部２３の屋外側端部には、雨水等が流れ込む排水溝としての溝部２３ａが形成されている。この溝部２３ａには、溝蓋２３ｂが設けられており、勾配床部２３の床面の屋外側端部と、この溝蓋２３ｂの上面とが略等しい高さになるように設定されている。
【００３９】
前記立ち上がり壁２４は、建物本体１側に配置されており、前記立ち上がり壁２５は、屋外側に配置されている。また、屋外側の立ち上がり壁２５の外側面には、前記ステー１０の突出側端面や床梁２２を被覆するための被覆壁２５ａが設けられている。
また、これら立ち上がり壁２４，２５は、バルコニー２０の幅方向両端部に設けられる立ち上がり壁（図示せず）と接合されるとともに、前記床梁２１，２２に固定されているものとする。
なお、これら立ち上がり壁２４，２５と、バルコニー２０の幅方向両端部側の立ち上がり壁とに囲まれる位置に、前記勾配床部２３が設けられている。
【００４０】
前記手摺壁２６は、上下に長尺な支柱や、この支柱の上端部に設けられる笠木、屋外側面に設けられる複数の格子等を有するものであり、前記屋外側の立ち上がり壁２５に取り付けられている。
なお、この手摺壁２６は、本実施の形態では前記前記屋外側の立ち上がり壁２５に取り付けられるとしたが、これに限られるものではない。すなわち、手摺壁２６を、バルコニー２０の屋外側だけでなく、バルコニー２０の幅方向両端部の立ち上がり壁の少なくとも一方にも取り付けてよい。これによって、手摺壁２６を、バルコニー２０の一方側から三方側のいずれかに設けることができる。
【００４１】
一方、庇３０は、図２に示すように、支柱３１と、角度調整支持材３２と、庇本体３３と、補助野縁３４とを備えている。この庇３０は、予め工場等で組み立てられているものとする。
なお、庇３０を支持するステー１０は、前記バルコニー２０を支持するステー１０よりも高剛性である必要はないため、図２に示すように、前記バルコニー２０を支持するステー１０よりも細いものが採用されている。説明の便宜上、以下、ステー１０Ａと称する。
なお、本実施の形態では、庇３０を支持するステー１０として細いものを採用したが、前記バルコニー２０と共通のサイズのステー１０を用いてもよく、適宜変更可能である。
【００４２】
前記支柱３１は、建物本体１側に配置されるとともに、前記ステー１０Ａの上面に立設固定されている。
この支柱３１の上面板は、庇３０の勾配に合わせて傾斜している。また、この支柱３１には補強用のスチフナー３１ａが一体的に設けられている。
【００４３】
前記角度調整支持材３２は、屋外側に配置されるとともに、前記ステー１０Ａの先端部上面に載置固定されている。
この角度調整支持材３２の上面板は、庇３０の勾配に合わせて傾斜しており、前記支柱３１の上面板の延長線上に配置されている。
【００４４】
前記支柱３１および角度調整支持材３２の下面には、それぞれ、前記ステー１０Ａの上面に設けられたガイドピン１３が挿入されるピン挿入孔（図示せず）が複数形成されている。したがって、前記庇３０を、前記複数のステー１０Ａ上面に、前記ステー１０Ａの上面に設けられた複数のガイドピン１３，１３を、前記ピン挿通孔に挿入するようにして載置できるようになっている。
また、前記バルコニー２０の床梁２１，２２と同様に、前記支柱３１および角度調整支持材３２と、ステー１０Ａとは、ボルト１３ａおよびナット１３ｂによって確実かつ強固に接合されている。
【００４５】
前記庇本体３３は、前記支柱３１および角度調整支持材３２間に架設されており、これら支柱３１および角度調整支持材３２の上面板の傾斜に応じて傾斜している。この庇本体３３の勾配方向先端は、前記ステー１０Ａの突出方向側端部よりも屋外側に位置するとともに、該ステー１０Ａと略等しい高さに配置されている。
また、この庇本体３３の野地板上面には複数の屋根材３３ａが取り付けられており、勾配方向先端面には鼻隠部材３３ｂが取り付けられている。また、この鼻隠部材３３ｂの屋外側面には樋部材３３ｃが取り付けられている。
【００４６】
前記補助野縁３４は、前記庇本体３３の勾配方向先端付近に、吊り木３４ａを介して設けられており、前記ステー１０Ａの下面に設けられる野縁部材１４ｂと略等しい高さに配置されている。前記軒天材３０ａは、これら野縁部材１４ｂと補助野縁３４とに取り付けられている。
【００４７】
以上のバルコニー２０および庇３０は、予め組み立てられた状態であるため、現場に輸送された後は、クレーン等により吊り上げて、前記複数のステー１０（１０Ａ）の上面に載置し、その後、前記ボルト１３ａおよびナット１３ｂ等で固定することによって施工が進められる。
したがって、現場では、前記ステー１０（１０Ａ）を、前記下方の建物ユニット３の上梁３ａに予め取り付けておくようにする。
【００４８】
本実施の形態によれば、前記下方の建物ユニット３の上梁３ａの側面に形成された複数のステー１０（１０Ａ）の上面に、前記バルコニー２０および庇３０を載置固定することで、このバルコニー２０および庇３０を建物本体１の側面に設けることができるので、例えば突出部がどのような種類のものであっても、単に複数のステー１０（１０Ａ）上面に載置固定するだけで、建物本体１の側面に設けることができる。
これによって、バルコニー２０および庇３０を始めとする突出部を支持する構造を、突出部の種類に構わず共用化することができるので、種々の形態の突出部を確実に支持することが可能となる。
【００４９】
また、前記ステー１０（１０Ａ）は、前記下方の建物ユニット３の上梁３ａ側面に取り付けられているので、前記ステー１０（１０Ａ）を、前記上方の建物ユニット２の下梁２ａ側面に取り付ける場合に比して、前記バルコニー２０および庇３０を始めとする突出部を低い高さに配置することができる。
これによって、例えばバルコニー２０の場合には、床面の高さを調整する余地を残しておくことができる。また、突出部をフラワーボックスとする場合には、フラワーボックスの収納部分の深さを調整する余地を残しておくことができる。したがって、利便性に優れる。
【００５０】
また、前記複数のボルト孔１２ａが形成されたフランジ部１２を、前記複数のボルト穴４ａが形成された接合プレート４に当接させてボルト５によって接合できるので、前記複数のステー１０（１０Ａ）を、前記下方の建物ユニット３の上梁３ａ側面に確実かつ強固に固定することができる。
これによって、前記複数のステー１０（１０Ａ）の上面に載置固定されるバルコニー２０および庇３０を確実に支持することができる。
【００５１】
また、前記バルコニー２０および庇３０を、前記複数のステー１０（１０Ａ）上面に、前記ステー１０（１０Ａ）の上面に設けられた複数のガイドピン１３，１３を、前記ピン挿通孔に挿入するようにして載置することができるので、前記バルコニー２０および庇３０を案内しながら正確に載置することができる。
すなわち、前記ステー１０（１０Ａ）は、前記バルコニー２０および庇３０を支持する機能だけでなく、バルコニー２０および庇３０を正確に載置させるための機能を備えているので、機能性に優れる。
【００５２】
また、前記ステー１０（１０Ａ）の下面に設けられた軒天受け部１４によって、該ステー１０（１０Ａ）の下面に前記軒天材２０ａ，３０ａを確実に取り付けることができるので、前記バルコニー２０および庇３０の下面を確実に化粧できる。
すなわち、前記ステー１０（１０Ａ）は、前記バルコニー２０および庇３０を支持する機能だけでなく、軒天材２０ａ，３０ａをステー１０の下面に確実に取り付ける機能を備えているので、機能性に優れる。
【００５３】
また、予め組み立てられた状態のバルコニー２０および庇３０を、前記複数のステー１０（１０Ａ）の上面に載置固定できるので、バルコニー２０および庇３０の設置作業を容易かつ短期間に行うことができる。
すなわち、例えば工場等でバルコニー２０および庇３０を予め組み立てておき、現場に輸送されてきたバルコニー２０および庇３０を、前記複数のステー１０（１０Ａ）の上面に載置固定すれば、現場での作業工程を大幅に省略することができる。
【符号の説明】
【００５４】
１  建物本体
２  上方の建物ユニット
３  下方の建物ユニット
３ａ  上梁
４  接合プレート
４ａ  ボルト穴
５  ボルト
１０  ステー
１０Ａ  ステー
１１  ステー本体
１２  フランジ部
１２ａ  ボルト孔
２０  バルコニー（突出部）
３０  庇（突出部）
【図１】
2012177265.tif 000003
【図２】
2012177265.tif 000004
【図３】
2012177265.tif 000005